(57)【要約】【課題】車両の電源から電動式スライドシートに対して安定して電力を供給し続けることができる給電レールを提供する。【解決手段】本発明に係る給電レール１は、ケース６の内部に可動接点機構７が設けられており、この可動接点機構７は、ケース６内の長手方向に広がる空洞部８に収容された長尺状の導体ベルト１０と、導体ベルト１０の一端に設けられ、ケース６に固定された固定端子１１と、導体ベルト１０の他端に設けられ、ケース６の長手方向に可動する可動端子１２と、導体ベルト１０が掛け回されたローラー１９を有し、空洞部８内を長手方向に往復移動するスライダー１３と、ケース６に一端が固定され、スライダー１３に他端が取り付けられて、スライダー１３の往復移動に伴って伸縮する伸縮体１４とを備えて構成されている。【選択図】図３
2015219961.tif 000002
【特許請求の範囲】
【請求項１】
ケースの内部に可動接点機構が設けられた給電レールであって、
前記可動接点機構は、
前記ケース内の長手方向に広がる空洞部に収容された長尺状の導体ベルトと、
前記導体ベルトの一端に設けられ、前記ケースに固定された固定端子と、
前記導体ベルトの他端に設けられ、前記ケースの長手方向に可動する可動端子と、
前記導体ベルトが掛け回されたローラーを有し、前記空洞部内を長手方向に往復移動するスライダーと、
前記ケースに一端が固定され、前記スライダーに他端が取り付けられて、前記スライダーの往復移動に伴って伸縮する伸縮体とを備えて構成されていることを特徴とする給電レール。
【請求項２】
前記導体ベルトは、導体からなる薄板を複数枚重ねて構成されていることを特徴とする請求項１に記載の給電レール。
【請求項３】
前記導体ベルトは、導体からなる薄板の外表面が絶縁テープで被覆されていることを特徴とする請求項１または２に記載の給電レール。
【請求項４】
前記可動接点機構が、前記ケースの高さ方向または幅方向に複数個配置されていることを特徴とする請求項１〜３のいずれか１項に記載の給電レール。
【発明の詳細な説明】
【技術分野】
【０００１】
本発明は、自動車等の車両に搭載された電動式スライドシートに電力を供給するための給電レールに関する。
【背景技術】
【０００２】
従来、この種の装置として、例えば特許文献１に記載されたスライドシート用給電装置が知られている。この給電装置は、ハーネス収容部を有するケースと、ケースに沿って進退する可動体と、可動体に一端部を支持し、ケースに他端部を支持して、ハーネス収容部内で屈曲するワイヤハーネスと、を備えて構成されている。また、ワイヤハーネスは可動体に沿って配索されて電動式スライドシート側の回路に接続され、ケースのコネクタに車両の電源側の回路が接続される。これにより、電動式スライドシートの進退と同時に可動体が進退することにより、車両の電源側の回路からワイヤハーネスを介して電動式スライドシート側の回路に電力を供給するようになっている。
【先行技術文献】
【特許文献】
【０００３】
【特許文献１】特開２００５−５９７４５号公報
【発明の概要】
【発明が解決しようとする課題】
【０００４】
ところで、前記のような従来の給電装置によると、ケースのハーネス収容部内にワイヤハーネスが屈曲した状態で収容されているため、電動式スライドシートの進退に合わせて可動体が進退する際に、ワイヤハーネスがケース内で引っ掛かって可動体の動きを妨げたり、ワイヤハーネスがねじれたり引っ張られたりして動作不良を起こす恐れがある。このため、車両の電源から電動式スライドシートに対する電力の供給が不安定になるという問題があった。
【０００５】
そこで、本発明はこのような問題を解決するためになされたものであり、その目的とするところは、車両の電源から電動式スライドシートに対して安定して電力を供給し続けることができる給電レールを提供することにある。
【課題を解決するための手段】
【０００６】
前記の目的を達成するため、本発明に係る給電レールは、ケースの内部に可動接点機構が設けられた給電レールであって、前記可動接点機構は、前記ケース内の長手方向に広がる空洞部に収容された長尺状の導体ベルトと、前記導体ベルトの一端に設けられ、前記ケースに固定された固定端子と、前記導体ベルトの他端に設けられ、前記ケースの長手方向に可動する可動端子と、前記導体ベルトが掛け回されたローラーを有し、前記空洞部内を長手方向に往復移動するスライダーと、前記ケースに一端が固定され、前記スライダーに他端が取り付けられて、前記スライダーの往復移動に伴って伸縮する伸縮体とを備えて構成されていることを特徴とする。
【０００７】
また、前記構成からなる給電レールにおいて、前記導体ベルトは、導体からなる薄板を複数枚重ねて構成されていても良く、導体からなる薄板の外表面が絶縁テープで被覆されていても良い。また、前記可動接点機構が、前記ケースの高さ方向または幅方向に複数個配置されていても良い。
【発明の効果】
【０００８】
本発明によれば、給電レールを介して電動式スライドシートと車両の電源とを電気的に接続することができ、特にケースの空洞部内にワイヤハーネス等の複雑な電線類がないので、ワイヤハーネスの配索をする面倒な手間が省けるという効果がある。また、電動式スライドシートが往復移動する際に、電線類が空洞部内で引っ掛かって動きを妨げることや電線類がねじれたり引っ張られたりして動作不良を起こすことがなく、電動式スライドシートの動きに追従してスライダーが空洞部内をスライド移動し、導体ベルトがスムーズに伸縮するようになっている。このため、車両の電源から電動式スライドシートに対して安定して電力を供給し続けることができるという効果がある。
【図面の簡単な説明】
【０００９】
【図１】本発明の給電レールが装着された自動車の電動式スライドシート周辺の構造を示す正面図である。
【図２】本発明の給電レールが装着された自動車の電動式スライドシート周辺の構造を示す側面図である。
【図３】本発明の給電レールの静止状態を示す図であり、（ａ）は断面図、（ｂ）は平面図である。
【図４】本発明の給電レールの動作状態を示す図であり、（ａ）は断面図、（ｂ）は平面図である。
【発明を実施するための形態】
【００１０】
以下、本発明を実施するための形態について、図面を参照しながら説明する。
【００１１】
図１に示すように、本実施形態の給電レール１は、自動車等の車両に搭載される電動式スライドシート２に対し、車両の電源から電力を供給するためのものである。この給電レール１は、電動式スライドシート２がサイドレール３に沿って前後に往復移動する際に電力を供給し続けられるように、サイドレール３の側面に装着して一体化されている。
【００１２】
図２に示すように、給電レール１の上には樹脂製のレールカバー４が被せられており、車内の埃や砂などの異物が入り込まないように保護されている。
【００１３】
図３に拡大して示すように、本実施形態の給電レール１は、ロングスライドタイプの電動式スライドシート２の移動距離に合わせて設計された鉄製の型枠５に収容されており、全体形状が長尺状に成形されている。また、給電レール１は、型枠５に収容されたケース６の内部に可動接点機構７が設けられており、型枠５を螺子止め固定することによってサイドレール３の側面に取り付けられる。
【００１４】
ケース６は、アルミニウム等の金属からなり、型枠５に収容できるように細長い角筒型に成形されている。ケース６の内部にはその長手方向に広がる空洞部８が設けられており、ケース６の上面には以下の可動接点機構７が長手方向に沿って往復移動する際のガイドとなるスリット９が形成されている。
【００１５】
可動接点機構７は、導体ベルト１０と、固定端子１１と、可動端子１２と、スライダー１３と、伸縮体１４の各部品を備えて構成されている。
【００１６】
導体ベルト１０は、導体からなる薄板（本実施形態では銅板）を２枚重ね合わせ、その外表面を耐熱絶縁テープ（本実施形態ではポリイミドテープ）で被覆して長尺状に成形されている。本実施形態では銅版を２枚重ね合わせてあるが、その理由は導体ベルト１０に大電流が流れたときに銅板が熱で溶けないように電気容量を増やすためである。なお、銅板は、撓み変形できる範囲内であれば３枚以上重ね合わせても良く、十分な電気容量が確保できれば１枚のみから構成されていても良い。
【００１７】
導体ベルト１０の一端には、導体からなる固定端子１１が一体に設けられている。この固定端子１１は、ケース６の先端に設けられた車両側コネクタ１５の内側に半田付けで固定されている。これに対し、導体ベルト１０の他端には、導体からなる可動端子１２が一体に設けられている。この可動端子１２は、ケース６の外部に突出するシート側コネクタ１６の内側に半田付けで固定されており、ケース６の長手方向に形成されたスリット９に沿って可動するように構成されている。なお、固定端子１１と可動端子１２の固定方法は半田付けに限られず、溶接、溶着、あるいはカシメなど他の方法を利用しても良い。
【００１８】
ケース６の内部にはスライダー１３が収容されている。スライダー１３はＡＢＳ樹脂等の絶縁体からなり、空洞部８の幅と高さに対応する直方体型に成形されている。スライダー１３の内側には一対の軸受１７，１７が形成されており、軸受１７，１７に中心軸１８の両端が支持された円形状のローラー１９が回転可能に設置されている。このローラー１９はＰＢＴ樹脂等の絶縁体からなり、その外周に導体ベルト１０が掛け回されている。なお、ローラー１９の外形は円形状に限られず、円に近い多角形状であっても良い。
【００１９】
また、スライダー１３には伸縮体１４が一体に取り付けられている。伸縮体１４は、ローラー１９に掛け回された導体ベルト１０に一定のテンションを付与するためのもので、本実施形態ではピアノ線をコイル状に巻いた圧縮コイルばねを用いている。この圧縮コイルばねは、一方側のフック２０をケース６に設けられたアルミニウム製のシャフト２１の中心に引っ掛け、他方側のフック２２をスライダー１３にインサート成形されたステンレス製のプレート２３の孔に引っ掛けることにより、スライダー１３の往復移動に伴って伸縮するように構成されている。ここで、フック２０，２２を引っ掛けるシャフト２１とプレート２３をそれぞれ金属製にした理由は、圧縮コイルばねの伸縮動作の繰り返しによって金属製のフック２０，２２との摩耗で損傷するのを防ぐためである。なお、伸縮体１４は圧縮コイルばねに限られず、その他のばねやゴムなどの弾性体であっても良い。
【００２０】
以上のように構成された給電レール１は、ケース６の内部に可動接点機構７が設けられており、型枠５内に収容されてサイドレール３の側面に取り付けられる。このとき、可動端子１２が内蔵されたシート側コネクタ１６がケース６の外部に突出しているので、このシート側コネクタ１６に電動式スライドシート２のモーター回路を接続し、固定端子１１が内蔵された車両側コネクタ１５に車両の電源回路を接続すれば良い。これにより、給電レール１を介して、車両の電源回路と電動式スライドシート２のモーター回路とを電気的に接続することができる。すなわち、図３に示す給電レール１が静止状態のとき、車両側コネクタ１５とシート側コネクタ１６は導体ベルト１０を介して接続されているので、車両の電源回路から電動式スライドシート２のモーター回路に対して電力を供給することができる。
【００２１】
ここで、図１に示す電動式スライドシート２がサイドレール３に沿って後退したとき、図４に示すように、可動端子１２を内蔵したシート側コネクタ１６が電動式スライドシート２に連動して図の矢印Ａ方向に移動する。このとき、可動端子１２に繋がった導体ベルト１０がローラー１９を介して順次繰り出され、さらに導体ベルト１０に引っ張られたスライダー１３が伸縮体１４を伸ばしながら空洞部８内を矢印Ａ方向にスライド動作する。
【００２２】
これに対し、図１に示す電動式スライドシート２がサイドレール３に沿って前進したとき、図４に示すシート側コネクタ１６が電動式スライドシート２に連動して図の矢印Ｂ方向に移動する。ここで、可動端子１２に繋がった導体ベルト１０がローラー１９を介して順次巻き戻されていくが、このとき伸縮体１４がその弾性復帰力によって縮みながらスライダー１３を元の位置に引き戻そうとする。このため、ローラー１９に掛け回された導体ベルト１０が常に伸縮体１４に引っ張られながら巻き戻されるので、巻き戻しの最中に導電ベルト１０が途中で折れ曲がったり折り重なったりせず、導体ベルト１０は常に一定のテンションが付与された状態で綺麗に巻き戻されていく。
【００２３】
このように、電動式スライドシート２が前進や後退したとき、その動作に追従してスライダー１３が空洞部８内をスライド移動することによって導体ベルト１０が伸縮するようになっている。しかも、空洞部８内にはワイヤハーネス等の複雑な電線類がないので、ワイヤハーネスの配索をする面倒な手間が省けるとともに、電動式スライドシート２が往復移動する際に電線類が空洞部８内で引っ掛かって動きを妨げたり、ねじれたり引っ張られたりして動作不良を起こす恐れもない。したがって、この給電レール１によれば、電動式スライドシート２の動きに追従して導体ベルト１０がスムーズに伸縮するため、車両の電源回路から電動式スライドシート２に対して安定して電力を供給し続けることができる。
【００２４】
なお、本実施形態では、可動接点機構７を空洞部８内に１個設けて１回路としたが、回路構成はこれに限られない。例えば、導体ベルト１０を上下に重ねて可動接点機構７をケース６の高さ方向に複数個配置したり、幅を狭くした導体ベルト１０を左右に並べて可動接点機構７をケース６の幅方向に複数個配置したりして、２回路以上の回路構成とすることも可能である。これにより、いずれか一つの回路の可動接点機構７に障害が発生した場合でも、残りの回路の可動接点機構７が正常に動作することによって安全性を確保するフェイルセーフ機能を発揮することができる。
【符号の説明】
【００２５】
１：給電レール
２：電動式スライドシート
３：サイドレール
４：レールカバー
５：型枠
６：ケース
７：可動接点機構
８：空洞部
９：スリット
１０：導体ベルト
１１：固定端子
１２：可動端子
１３：スライダー
１４：伸縮体
１５：車両側コネクタ
１６：シート側コネクタ
１７：軸受
１８：中心軸
１９：ローラー
２０：フック
２１：シャフト
２２：フック
２３：プレート
【図１】
2015219961.tif 000003
【図２】
2015219961.tif 000004
【図３】
2015219961.tif 000005
【図４】
2015219961.tif 000006